(57)【特許請求の範囲】
【請求項１】
記録材に画像を形成する画像形成装置本体および前記画像が形成された記録材にステイプル処理を行う後処理装置とを備えてなる画像形成装置において、
ステイプルモードを選択するステイプルモード選択部と、
原稿上の画像の向きを含む原稿載置方向を指定する原稿載置方向指定部およびステイプル位置を選択するステイプル位置選択部を分離して表示し、各原稿載置方向を示す複数の選択肢と各原稿載置方向の場合に選択可能なステイプル位置を示す複数の選択肢とを対応付けて表示する操作表示部とを設け、
前記原稿載置方向を示す複数の選択肢が、前記操作表示部から入力指示する際の立ち位置から見た原稿の画像の向きを含む載置方向を各々図式化したものであることを特徴とする画像形成装置。
【請求項２】
原稿サイズ検知センサを有し、前記原稿サイズ検知センサで検知された原稿のサイズに応じて、前記原稿載置方向の選択肢または前記ステイプル位置の選択肢の表示を限定するように表示を制御する制御手段を有することを特徴とする請求項１に記載の画像形成装置。
【発明の詳細な説明】
【０００１】
【発明の属する技術分野】
本発明は、画像形成装置および画像形成方法に関し、特にステイプルモードにおけるステイプル位置の決定に特徴を有する画像形成装置および画像形成方法に関する。
【０００２】
【従来の技術】
原稿から読み取った画像情報をもとに記録紙上に画像形成を行った後、該画像形成済みの複数の記録紙を纏めてステイプル処理を行うステイプルモードを有する画像形成装置が知られている。
【０００３】
このステイプルモードにおいて操作者は、画像形成装置の適宜な場所に設けられた液晶タッチパネルディスプレイ等の操作表示部からステイプルの位置や綴じ針の数の指示入力を行うことになる。
【０００４】
よく知られている前記指示入力のステイプル位置決定画面は、図１０に示すようなものである。原稿の載置方向と、ステイプル位置および綴じ針の数との組み合わせで考え得る全ての選択肢が、中央の「ステイプル−１ケ所」「ステイプル−２ケ所」の列に表示されている。
【０００５】
このように多数の選択肢が表示されると、操作者は所望するステイプル位置の選択肢はどれなのか、すぐには判断しづらく、結果として間違った選択をして、ステイプルミスが出やすいという問題があった。
【０００６】
【発明が解決しようとする課題】
本発明の目的は、上記問題点に鑑み、ステイプル位置の指示入力ミスを低減可能な画像形成装置および画像形成方法を提供することである。
【０００７】
【課題を解決するための手段】
本発明の目的は、以下の構成によって達成された。
【０００８】
１．記録材に画像を形成する画像形成装置本体および前記画像が形成された記録材にステイプル処理を行う後処理装置とを備えてなる画像形成装置において、
ステイプルモードを選択するステイプルモード選択部と、
原稿載置方向を指定する原稿載置方向指定部およびステイプル位置を選択するステイプル位置選択部を分離して表示し、各原稿載置方向を示す複数の選択肢と各原稿載置方向の場合に選択可能なステイプル位置を示す複数の選択肢とを対応付けて表示する操作表示部とを設け、
前記原稿載置方向を示す複数の選択肢が、前記操作表示部から入力指示する際の立ち位置から見た原稿の載置方向を各々図式化したものであることを特徴とする画像形成装置。
【００１０】
２．原稿サイズ検知センサを有し、前記原稿サイズ検知センサで検知された原稿のサイズに応じて、前記原稿載置方向の選択肢または前記ステイプル位置の選択肢の表示を限定するように表示を制御する制御手段を有することを特徴とする上記１に記載の画像形成装置。
【００１４】
【発明の実施の形態】
以下、本発明の実施の形態について、図面を参照しながら説明するが、本発明はこれに限定されるものではない。
【００１５】
図１は後処理装置ＦＳと自動原稿送り装置ＤＦと画像読み取り装置（スキャナ）ＳＣとを装備した電子写真方式の画像形成装置１の全体構成図である。
【００１６】
図示の画像形成装置本体１Ａは、画像処理部２、画像書き込み部３、画像形成部４、高圧電源部５、カセット給紙部６、定着装置７、排紙部８、自動両面コピーのための再搬送手段（ＡＤＵ）９を備えている。
【００１７】
画像形成装置本体１Ａの上部には、画像読み取り装置ＳＣと自動原稿送り装置ＤＦが搭載されている。画像形成装置本体１Ａの図示の左上部には、後処理装置ＦＳが連結されている。
【００１８】
自動原稿送り装置ＤＦには、詳細は後述するが、原稿サイズ検知センサとしての幅センサ６０２および長さセンサＳ１、Ｓ２を配しており、載置された原稿のサイズを検知することが出来るようになっている。また、自動原稿送り装置ＤＦの原稿台上に第１面を上向きにして載置された原稿ｄは、矢印方向に搬送され画像読み取り装置ＳＣの光学系により原稿の片面又は両面の画像が読みとられ、ＣＣＤイメージセンサＣ１に読み込まれ、図示しないメモリに画像情報として格納される。
【００１９】
前記画像情報は、画像処理部２において、アナログ処理、Ａ／Ｄ変換、シェーディング補正、画像圧縮の他、表示操作部からユーザが入力した指示内容に応じて拡大縮小、画像回転、ステイプルシフト、画像濃度変更等の画像処理を行った後、画像書き込み部３に送られる。
【００２０】
画像書き込み部３においては、半導体レーザからの出力光が画像形成部４の感光体ドラム４Ａに照射され、潜像を形成する。画像形成部４においては、帯電、露光、現像、転写、分離、クリーニング等の処理が行われ、カセット給紙部６から搬送された記録紙Ｓに画像が転写される。画像を担持した記録紙Ｓは、定着装置７により定着され、排紙部８から後処理装置ＦＳに送り込まれる。或いは排紙路切り替え板８Ａにより再搬送手段９に送り込まれた片面画像処理済みの記録紙Ｓは、再び画像形成部４において両面に画像形成された後、排紙部８の排紙ローラ８Ｂにより後処理装置ＦＳに送り込まれる。
【００２１】
後処理装置ＦＳは、画像形成装置本体１Ａの左上部に着脱可能に装着されている。後処理装置ＦＳは、用紙搬送手段１０、排紙手段２０、後処理手段３０、昇降排紙手段４０から成る。１００（図２参照）は後処理装置本体である。
【００２２】
図１において、画像形成装置本体１Ａ内の右寄り側の画像形成部４を中心にして、画像形成装置本体１Ａの高さ方向下方にカセット給紙部６が、上方に定着装置７、排紙部８が設けられている。この垂直配列構成により、ほぼ垂直方向の搬送路▲１▼が形成される。カセット給紙部６から送り出された記録紙Ｓは、この垂直上方の搬送路▲１▼に沿って搬送されて画像形成装置本体１Ａ外に排出される。
【００２３】
この垂直方向の搬送路▲１▼にほぼ平行して、再搬送手段９による搬送路▲２▼が形成されている。
【００２４】
上記の垂直方向の搬送路▲１▼、▲２▼を形成することにより、カセット給紙部６から排紙部８に至る最短距離の搬送路が構成される。
【００２５】
画像形成装置本体１Ａの図示の上方の空間部に後処理装置ＦＳの搬送手段１０が収容される。搬送手段１０の入口部１１は、画像形成装置本体１Ａの排紙部８の排紙ローラ８Ｂに接続する。また、この装着状態では、画像形成装置本体１Ａの図示の左上方の空間部に、後処理装置ＦＳの排紙手段２０及び後処理手段３０が収容される。複数の排紙皿（ビンとも称す）４１と昇降駆動手段４２から成る昇降排紙手段４０は、後処理装置本体１００（図２参照）の側面側に位置する。
【００２６】
図２は図１の画像形成装置の後処理装置ＦＳの断面図である。
図２において、後処理装置ＦＳは、搬送手段１０、排紙手段２０、後処理手段３０、昇降排紙手段４０から成り、ユニット化され、画像形成装置本体１Ａに対して着脱可能であり、ガイドレール等の移動手段により、図面の手前側に向かって引き出すことができる。
【００２７】
搬送手段１０は、排紙部８の排紙ローラ８Ｂに対向する入口部１１に接続され、排出された記録紙Ｓを排紙手段２０に案内する搬送案内板（以下、案内板と称す）１２，１３、記録紙Ｓを挟持して搬送する駆動ローラと従動ローラとから成る搬送ローラ１４，１５，１６とから構成されている。これらの案内板１２，１３及び搬送ローラ１４，１５，１６から成る通路は、ほぼ水平な搬送路を形成している。搬送ローラ１４，１５，１６の各駆動ローラは図示しない駆動モータにより正回転される。
【００２８】
排紙手段２０は、駆動源に接続して正逆回転する排紙上ローラ２１と排紙下ローラ２２及び圧着手段２３から成る。排紙上ローラ２１はトルクリミッタにより上下動し、圧着手段２３により排紙下ローラ２２を押圧する。
【００２９】
排紙手段２０は、更に、搬送手段１０により搬送された複数枚の記録紙Ｓを積載する中間スタッカ２４、中間スタッカ２４上に積載される記録紙Ｓの幅方向を揃えて規制する幅整合手段２５、中間スタッカ２４上に積載される記録紙Ｓの後端部を突き当てて搬送方向の位置決めをする停止手段２６を備えている。
【００３０】
後処理手段３０は、綴じ針供給口ＳＰを中間スタッカ２４上の記録紙の束に打ち込む綴じ手段（ステイプラ）３１、この綴じ手段３１を所定の位置に移動、及び回転させる移動手段３２から構成されている。
【００３１】
表示操作部からステイプルモードの指示入力がなされると、画像形成装置本体１Ａ側（図２において右側）から画像形成済みの記録紙Ｓが搬送されて来て、搬送ローラ１４，１５，１６によって形成された通路を通り、中間スタッカ２４上に積載されて記録紙Ｓの束となり、幅整合手段２５により記録紙Ｓの束の幅方向（搬送方向に対し垂直方向）の端部が揃えられ、束の搬送方向の端部（図中右側）が停止手段２６に突き当てられて位置決めされ、綴じ手段３１の幅方向に複数設けられた綴じ針供給口ＳＰから綴じ針が供給され、記録紙Ｓの束は、綴じ針を打ち込まれることによって結束される（ステイプル処理）。結束された記録紙Ｓの束は、排紙上ローラ２１および排紙下ローラ２２の回転によって、昇降排紙手段４０に排紙される。
【００３２】
尚、記録紙Ｓの束を綴じない場合は、画像形成装置本体から搬送されてきた記録紙Ｓは、中間スタッカ２４を経ずに、そのまま昇降排紙手段４０に排紙される。
【００３３】
昇降排紙手段４０は傾斜配置した複数の排紙皿４１、この排紙皿４１を垂直方向に昇降させる昇降駆動手段４２から構成されている。
【００３４】
なお、図示の後処理装置ＦＳは、４段の排紙皿４１を有するが、昇降排紙手段４０の下方及び上方に余裕空間が存在するから、更にビン数を増設した後処理装置（例えば１０〜２０ビンの後処理装置）ＦＳも装着可能である。また、この後処理装置ＦＳは、メールボックス等の用紙仕分け機能も兼ねることができる。
【００３５】
図３は、図１の画像形成装置の自動原稿送り装置ＤＦの部分上面図である。
原稿載置プレート６０１上には、長さセンサＳ１およびＳ２と、幅センサ６０２とが配されており、原稿を原稿載置プレート６０１上に載置すると、太矢印方向（図中左方向）に原稿が送り込まれることになる。
【００３６】
幅センサ６０２において、原稿の幅両端を保持する保持部材６０２ｈが、溝部６０２ｍに嵌め込まれており、細矢印方向（図中上下方向）に移動可能になっている。保持部材６０２ｈが記録材の幅に合わせて動かされると、これに連結された可変抵抗（不図示）の電圧値が変化し、記録材の幅を検知することが出来る。幅センサ６０２によって得られる情報は、例えば、Ａ４（またはＡ３）、Ｂ５（またはＢ４）、Ａ４Ｒ、Ｂ５Ｒ、Ｂ６か否かである。
【００３７】
長さセンサＳ１およびＳ２はフォトセンサであり、長さセンサＳ１またはＳ２上に原稿が載置されているかどうかを、フォトセンサの受光素子が受光したか否かにより検知するようになっている。長さセンサＳ１およびＳ２では、幅センサ６０２のみでは原稿のサイズが判定できないＡ４／Ａ３や、Ｂ５／Ｂ４のサイズを検知する。例えば、長さセンサＳ２では受光しておらず原稿が覆っていることを、長さセンサＳ１では受光していて原稿が覆っていないことを検知した場合は、幅センサ６０２の検知情報に応じて、Ａ４またはＢ５サイズであることを判断する。また、長さセンサＳ１およびＳ２の両方が受光しておらず原稿が両センサを覆っていることを検知した場合は、幅センサ６０２の検知情報に応じてＡ３またはＢ４サイズであることを判断する。
【００３８】
尚、上記自動原稿送り装置ＤＦにおける原稿サイズ検知、画像読み取り装置（スキャナ）ＳＣからの読み込み、画像形成部４における画像形成、後処理装置ＦＳにおける画像形成済みの記録紙Ｓのステイプル処理等の制御は、後述する操作表示部からのユーザの指示に応じて、または、自動的に、画像形成装置本体１Ａの適宜の場所に配設された制御基板（制御手段）によって行われる。
【００３９】
図４は、図１の画像形成装置の操作表示部を示す図である。
操作表示部５０は、本発明において、原稿載置方向指定部およびステイプル位置選択部を有し、原稿載置方向指定部においては原稿載置方向の選択肢を、ステイプル位置選択部においてはステイプル位置の選択肢を表示すると共に選択の入力を受け付ける機能を有する。操作表示部５０は、画像形成装置のユーザが操作しやすい場所、例えば、画像読み取り装置ＳＣの手前側上面（図１中）等に配設されている。
【００４０】
図中、参照符号の５１１は後処理工程においてドキュメント毎に昇降排紙手段４０の各ビンに振り分けるソートモードを選択するソートボタン、５１２はドキュメントの束毎に綴じ針で綴じるステイプルモードを選択するステイプルモード選択部としてのステイプルボタン、５１３はグループ毎にビンに振り分けるグループモードを選択するグループボタンである。
【００４１】
５２０は、液晶タッチパネルディスプレイで、各種操作キー等を表示および入力を受け付けるものであり、本発明においては、原稿載置方向指定部およびステイプル位置選択部を表示し、入力を受け付ける。
【００４２】
５３１は原稿の読み込みを開始する原稿読込ボタン、５３２は記録紙の縦横方向に合わせて画像形成を行うため等に画像情報の回転を行う画像回転を選択する画像回転ボタン、５３３は各種操作画面を液晶タッチパネルディスプレイ５２０に表示させるための応用機能ボタン、５３４は鉛筆書き、文字のみ、写真等原稿の画質に適した階調を選択するための原稿画質ボタンである。
【００４３】
５４１は当該操作表示部５０にて行った設定を取り消し、初期状態に戻すためのオートリセットボタン、５４２は液晶タッチパネルディスプレイ５２０にジョブメモリ設定画面を呼び出し、メモリへの書込または読み出しを行うためのジョブメモリボタン、５４３は表示されている画面の説明を表示させるためのヘルプボタン、５４４は設定状態を確認するためのチェックボタン、５４５は当該画像形成装置を複写機として用いるのかプリンタとして用いるのか使用モードを選択するためのモード切換ボタンである。
【００４４】
５５１は画像形成を行う記録紙の枚数を設定するためのテンキー、５５２はテンキー５５１にて設定した枚数を表示する枚数表示部である。
【００４５】
５６１は設定した条件で画像形成を開始するためのスタートボタン、５６２は画像形成中に当該画像形成を中止し、メモリ内のジョブを消去するためのストップ／クリアボタン、５６４はジョブ実行中（画像形成中）に別のジョブを行うための割込ボタン、５６５はタイマ使用中であるかどうかを表示するタイマ表示部である。
【００４６】
以上、各種操作ボタンおよび液晶タッチパネルディスプレイ５２０に表示された操作キーから、ユーザがステイプル処理他に関する各種設定を行う。
【００４７】
図５は、図４にて説明した操作表示部内の液晶タッチパネルディスプレイに表示される階層化された操作画面の一例である。
【００４８】
図５は基本画面であり、頻繁に使用する設定機能がキー化されて表示されている。参照符号の６１の列は原稿のどの面（片面あるいは両面）から、記録紙のどの面（片面あるいは両面）に画像形成を行うのかを選択するキー列、６２の列は画像形成の濃度（コピー濃度）を任意に設定するキー列、６３の列は画像の拡大縮小倍率を設定するキー列、６４の列は画像形成に使用する記録紙のサイズを選択するキー列である。また、６５は後処理装置ＦＳ（図１）にてステイプラにより綴じ針をどの位置に打ち込むかを設定する画面を呼び出すための仕上げキーである。選択するキーをユーザが押すと、白黒反転して押されたキーの機能が選択されたことを示すようになっている。
【００４９】
この基本画面において、仕上げキー６５を押すことにより、下層のステイプル位置決定画面を呼び出し、該画面中の原稿載置方向指定部およびステイプル位置選択部から入力指示を行うことになる。
【００５０】
図６は、図５で説明した基本画面の下層のステイプル位置決定画面の一例である。６５１は原稿載置方向指定部、６５２はステイプル位置選択部である。
【００５１】
原稿載置方向指定部６５１には、Ａ〜Ｄの４つの選択肢が表示されている。それぞれの選択肢は、画像形成装置の自動原稿送り装置において、原稿載置トレイ上に、画像「Ｋ」を有する原稿が載置されている状態で、ユーザが操作表示部から入力指示する際の立ち位置から見た場合を、原稿載置方向別に図式化したものである。原稿は原稿載置トレイの左端へ給送されることを表している。
【００５２】
選択肢Ａは、原稿サイズがＡ４（またはＢ５）の縦長サイズであって、原稿の画像上端が原稿載置トレイの奥側に、原稿の画像下端が手前になっている原稿載置方向を示している。選択肢Ｂは、原稿サイズがＡ４Ｒ（またはＢ５Ｒ／Ａ３／Ｂ４）の横長サイズであって、原稿の画像上端が原稿載置トレイの奥側に、原稿の画像下端が手前になっている原稿載置方向を示している。選択肢Ｃは、原稿サイズがＡ４（またはＢ５）の縦長サイズであって、原稿の画像上端が原稿載置トレイの手前に、原稿の画像下端が奥側になっている原稿載置方向を示している。選択肢Ｄは、原稿サイズがＡ４Ｒ（またはＢ５Ｒ／Ａ３／Ｂ４）の横長サイズであって、原稿の画像上端が原稿載置トレイの手前に、原稿の画像下端が奥側になっている原稿載置方向を示している。
【００５３】
ステイプル位置選択部６５２には、原稿載置方向指定部６５１の選択肢Ａ〜Ｄそれぞれに対応するステイプル位置および綴じ針数の選択肢が３つづつ表示されている。
【００５４】
選択肢１〜３は、原稿載置方向が上記選択肢Ａの場合のステイプル位置選択肢であり、選択肢１は原稿の画像に対して左上に一箇所綴じ針を打つ場合を、選択肢２は原稿の画像に対して左下に一箇所綴じ針を打つ場合を、選択肢３は原稿の画像に対して左側に二箇所綴じ針を打つ場合を示している。
【００５５】
選択肢４〜６は、原稿載置方向が上記選択肢Ｂの場合のステイプル位置選択肢であり、それぞれ前記選択肢１〜３と同様である。
【００５６】
選択肢７〜９は、原稿載置方向が上記選択肢Ｃの場合のステイプル位置選択肢であり、それぞれ前記選択肢１〜３と同様である。
【００５７】
選択肢１０〜１２は、原稿載置方向が上記選択肢Ｄの場合のステイプル位置選択肢であり、それぞれ前記選択肢１〜３と同様である。
【００５８】
ユーザは、原稿載置方向指定部６５１から、実際に原稿載置トレイに置いた原稿の方向を確認して、選択肢Ａ〜Ｄの中より該当するものをタッチして選択し、さらに、ステイプル位置選択部６５２から対応する３つの選択肢の中から所望のステイプル位置のものをタッチして選択するのみでよい。タッチした後には、選択された選択肢は暗転する等、他の選択肢と区別出来るようにすることが好ましい。
【００５９】
図１０で説明した従来のステイプル位置決定画面のように、選択肢が多数存在し、原稿載置方向とステイプル位置との関係をよく考えてから選択しなければならないものと異なり、上記本発明のように原稿載置方向指定部とステイプル位置選択部とを分離して表示することにより、それぞれにおいて選択肢数が絞られ、ユーザが戸惑うことなく、確実に決定作業を行うことが可能となる。
【００６０】
図７は、図６のステイプル位置決定画面において、原稿載置方向指定部で一つの選択肢を選択した後の表示方法の一例を示した図である。
【００６１】
ユーザが原稿載置方向指定部６５１において、選択肢Ａをタッチして選択すると、ステイプル位置選択部６５２では選択肢Ａと、それに対応する選択肢１〜３のみ選択可能に限定して表示したものである。選択肢Ｂ〜Ｄと、それに対応する選択肢４〜１２は斜が入るか、または暗転して選択できないようにしてある。
【００６２】
このような表示形式とすることで、ユーザはより選択が容易に行え、素早く確実にステイプル位置を決定することが出来る。
【００６３】
図８は、図６のステイプル位置決定画面の別の表示方法を示す図である。画像形成装置の原稿サイズ検知センサと連携し、検知された原稿サイズに応じて、原稿載置方向の選択肢およびステイプル位置の選択肢を限定表示するものである。
【００６４】
原稿サイズ検知センサとしての幅センサおよび長さセンサからの検知情報により、原稿載置トレイに載置された原稿のサイズ情報が得られ、これより載置された原稿が縦長サイズなのか、横長サイズなのかが判断出来る。例えば、原稿が縦長サイズだと検知された場合、原稿載置方向指定部の４つの選択肢のうち、縦長サイズのものは選択肢ＡまたはＣである。よって、選択肢ＡおよびＣと、それに対応するステイプル位置の選択肢１〜３および７〜９のみ選択可能に表示し、残りは斜が入るか暗転して選択できないようにしたものである。
【００６５】
原稿の画像方向について、ユーザが選択肢ＡかＣか２つの中から選択するのみであり、より素早く確実に原稿載置方向の指定が可能となる。また、その後のステイプル位置の選択についても、選択肢が図６のものに比べて半減しているので、ユーザは戸惑うことが少なくなる。尚、図７で説明したように、原稿載置方向指定部において適宜な選択肢がタッチされた後、当該選択肢に対応するステイプル位置の選択肢のみ（３つのみ）表示するようにすれば、さらに確実にステイプル位置の決定をユーザに促すことが可能となる。
【００６６】
図９は、原稿載置方向指定部における原稿載置方向の選択肢の表示方法の別の一例である。
【００６７】
図６〜８においては、原稿載置方向の選択肢を、自動原稿送り装置と原稿を表す図柄によって、原稿の給送される方向をわかりやすく表しているが、このような複雑な図柄でなくとも、図９（ａ）のように給送方向端部を太線で描いたり、図９（ｂ）のように給送方向を矢印で表したりすることで簡易に図式化することが出来る。
【００６８】
【発明の効果】
ステイプル位置の指示入力ミスを低減可能な画像形成装置および画像形成方法を提供できた。
【図面の簡単な説明】
【図１】電子写真方式の画像形成装置の全体構成図である。
【図２】図１の画像形成装置の後処理装置の断面図である。
【図３】図１の画像形成装置の自動原稿送り装置の部分上面図である。
【図４】図１の画像形成装置の操作表示部を示す図である。
【図５】図４の操作表示部に表示される階層化された操作画面の一例である。
【図６】ステイプル位置決定画面の一例である。
【図７】図６のステイプル位置決定画面において、原稿載置方向指定部で一つの選択肢を選択した後の表示方法の一例を示した図である。
【図８】図６のステイプル位置決定画面の別の表示方法を示す図である。
【図９】原稿載置方向指定部における原稿載置方向の選択肢の表示方法の別の一例である。
【図１０】従来のステイプル位置決定画面を示す図である。
【符号の説明】
１  画像形成装置
１Ａ  画像形成装置本体
１０  搬送手段
２０  排紙手段
２４  中間スタッカ
２５  幅整合手段
２６  停止手段
３０  後処理手段
３１  綴じ手段（ステイプラ）
５２０  液晶タッチパネルディスプレイ
６５１  原稿載置方向指定部
６５２  ステイプル位置選択部
ＤＦ  自動原稿送り装置
ＦＳ  後処理装置
【図１】
0004099939.tif 000002
【図２】
0004099939.tif 000003
【図３】
0004099939.tif 000004
【図４】
0004099939.tif 000005
【図５】
0004099939.tif 000006
【図６】
0004099939.tif 000007
【図７】
0004099939.tif 000008
【図８】
0004099939.tif 000009
【図９】
0004099939.tif 000010
【図１０】
0004099939.tif 000011